(57)【要約】      （修正有）【課題】設置場所に関わらず光信号の損失を軽減することができる光電変換装置を提供する。【解決手段】光電変換装置１０は、コネクタ（第１コネクタ１１、第２コネクタ１２）と、光ファイバ心線１６と、被覆部材１５と、保持用部材（第１保持用部材２０、第２保持用部材２１）とを備える。コネクタは、光電変換を行う変換回路を有する。光ファイバ心線１６は、一端がコネクタへ挿入されて変換回路と光学的に接続される。被覆部材１５は光ファイバ心線１６の中央部位を覆う。保持用部材は、コネクタと被覆部材１５のコネクタ側の端部との間の光ファイバ心線１６を、予め定められた形状で保持させるために覆う。【選択図】図１
2017015765.tif 000002
【特許請求の範囲】
【請求項１】
光電変換を行う変換回路を有するコネクタと、
一端が前記コネクタへ挿入されて前記変換回路と光学的に接続される光ファイバ心線と、
前記光ファイバ心線の中央部位を覆う被覆部材と、
前記コネクタと前記被覆部材の前記コネクタ側の端部との間の前記光ファイバ心線を、予め定められた形状で保持させるために覆う保持用部材とを備える
ことを特徴とする光電変換装置。
【請求項２】
前記光ファイバ心線のうち前記コネクタから引き出された部位を覆うブッシングを備え、
前記保持用部材は、前記ブッシングと前記被覆部材の前記コネクタ側の端部との間の前記光ファイバ心線を、予め定められた形状で保持させるために覆う
ことを特徴とする請求項１に記載の光電変換装置。
【請求項３】
前記保持用部材は、熱可塑性樹脂または熱硬化性樹脂である
ことを特徴とする請求項１または２に記載の光電変換装置。
【請求項４】
前記保持用部材は、互いに硬度が異なる少なくとも２つの層からなる
ことを特徴とする請求項１または２に記載の光電変換装置。
【請求項５】
前記少なくとも２つの層の硬度は、最も外側の層から順次低下する
ことを特徴とする請求項４に記載の光電変換装置。
【請求項６】
前記ブッシングにおいて、前記被覆部材側の端部には、前記光ファイバ心線の径方向に対して凸部が設けられている
ことを特徴とする請求項２に記載の光電変換装置。
【請求項７】
前記被覆部材の前記端部と前記保持用部材とを固定する固定部品を、さらに備える
ことを特徴とする請求項６に記載の光電変換装置。
【発明の詳細な説明】
【技術分野】
【０００１】
本発明は、一般に光電変換装置、より詳細には電気信号から変換された光信号を光ファイバ心線を介して伝送する光電変換装置に関する。
【背景技術】
【０００２】
従来、電気信号を光信号に変換して、光信号を伝送する装置（光電変換装置）が存在する。このような装置では、電気信号を光信号に変換する回路（第１回路）が光ファイバ心線の一端と光学的に接続され、光信号を電気信号に変換する回路（第２回路）が光ファイバ心線の他端と光学的に接続される。これにより、光電変換装置は、電気信号を光信号に変換して、光信号を伝送することができる（例えば、特許文献１参照）。
【先行技術文献】
【特許文献】
【０００３】
【特許文献１】特開２０１４−１５７２１４号公報
【発明の概要】
【発明が解決しようとする課題】
【０００４】
例えば、上述した第１回路を含む部位（コネクタ）を、電気機器に装着しようとする場合、設置場所によっては、コネクタから引き出された光ファイバ心線が、予期せぬ形状に曲がる可能性がある。そのため、光電変換装置の設置場所によっては光ファイバ心線が予期せぬ形状に曲がり、光信号の損失が生じる虞がある。
【０００５】
そこで、本発明は、上記事由に鑑みてなされており、その目的は、設置場所に関わらず光信号の損失を軽減することができる光電変換装置を提供することにある。
【課題を解決するための手段】
【０００６】
本発明の一態様である光電変換装置は、光電変換を行う変換回路を有するコネクタと、一端が前記コネクタへ挿入されて前記変換回路と光学的に接続される光ファイバ心線と、前記光ファイバ心線の中央部位を覆う被覆部材と、前記コネクタと前記被覆部材の前記コネクタ側の端部との間の前記光ファイバ心線を、予め定められた形状で保持させるために覆う保持用部材とを備えることを特徴とする。
【０００７】
ここで、前記光電変換装置は、前記光ファイバ心線のうち前記コネクタから引き出された部位を覆うブッシングを備え、前記保持用部材は、前記ブッシングと前記被覆部材の前記コネクタ側の端部との間の前記光ファイバ心線を、予め定められた形状で保持させるために覆うことが好ましい。
【０００８】
ここで、前記保持用部材は、熱可塑性樹脂または熱硬化性樹脂であることが好ましい。
【０００９】
ここで、前記保持用部材は、互いに硬度が異なる少なくとも２つの層からなることが好ましい。
【００１０】
ここで、前記少なくとも２つの層の硬度は、最も外側の層から順次低下することが好ましい。
【００１１】
ここで、前記ブッシングにおいて、前記被覆部材側の端部には、前記光ファイバ心線の径方向に対して凸部が設けられていることが好ましい。
【００１２】
ここで、前記光電変換装置は、前記被覆部材の前記端部と前記保持用部材とを固定する固定部品を、さらに備えることが好ましい。
【発明の効果】
【００１３】
上述した光電変換装置によると、コネクタから引き出された光ファイバ心線が予期せぬ形状に曲がる可能性を低減することができるので、設置場所に関わらず光信号の損失を軽減することができる。
【図面の簡単な説明】
【００１４】
【図１】図１Ａ，１Ｂは、実施形態１における光電変換装置を説明する図である。
【図２】実施形態１において、第１保持用部材および第２保持用部材が適用される前の光電変換装置を説明する図である。
【図３】実施形態１における第１保持用部材および第２保持用部材で形成される形状を説明する図である。
【図４】図４Ａ，４Ｂは、実施形態２における光電変換装置を説明する図である。
【図５】図５Ａ〜５Ｄは、実施形態３における光電変換装置を説明する図である。
【図６】図６Ａ〜７Ｃは、実施形態３における光電変換装置の変形例を説明する図である。
【図７】図７Ａ〜７Ｃは、実施形態３における光電変換装置の別の変形例を説明する図である。
【発明を実施するための形態】
【００１５】
（実施形態１）
以下、本実施形態に係る光電変換装置１０について、図１Ａ，１Ｂ、図２を用いて説明する。図１Ａは、光電変換装置１０の概要を表す図であり、図１Ｂは、光電変換装置１０の両端部を表す図である。光電変換装置１０は、サーバや映像装置、産業機器、計測機器、映像業務用印刷機器、医療機器などの機器または機器間に用いられる。より詳細には、光電変換装置１０は、上記機器内の基板間の信号伝送や上記機器内のモジュール間の信号伝送、機器間の信号伝送に用いられる。図２は、後述する第１保持用部材２０および第２保持用部材２１が適用される前の光電変換装置１０ａの概要を表す図である。
【００１６】
光電変換装置１０ａは、図２に示すように、第１コネクタ（プラグ）１１と、第２コネクタ（プラグ）１２と、光ファイバ心線１６とを備えている。
【００１７】
第１コネクタ１１は、電気信号を光信号に変換する第１変換回路（変換回路）を備え、第２コネクタ１２は、光信号を電気信号に変換する第２変換回路（変換回路）を備えている。第１コネクタ１１は、例えば第１機器側のコネクタ（レセプタクル）に接続されることで、光電変換装置１０ａと第１機器との間で電気信号の送受信や電源、グランド配線などを行うことができる。また、第２コネクタ１２は、例えば第２機器側のコネクタ（レセプタクル）に接続されることで、光電変換装置１０ａと第２機器との間で電気信号の送受信や電源、グランド配線などを行うことができる。
【００１８】
光ファイバ心線１６は、コアと、当該コアの外周を包囲するクラッドとから構成されている。ここで、コアは石英ガラスで構成され、クラッドは石英ガラスまたは硬質プラスチックから構成されている。光ファイバ心線１６の線方向において、光ファイバ心線１６の両端部を除く部位（中央部位）は、光ファイバ心線１６を保護する樹脂製の被覆部材１５が設けられている。被覆部材１５と光ファイバ心線１６との間には抗張力体が設けられている。ここで、抗張力体は、例えばアラミド繊維または鋼線などであり、光ファイバ心線１６への張力に対する強度を高める。
【００１９】
光ファイバ心線１６の一端と第１コネクタ１１とが、光ファイバ心線１６の他端と第２コネクタ１２とが、それぞれ光学的に接続されている。具体的には、光ファイバ心線１６の一端が第１コネクタ１１に挿入され、光ファイバ心線１６の一端のコアと、第１コネクタ１１の第１変換回路とが光学的に接続されている。光ファイバ心線１６の他端が第２コネクタ１２に挿入され、光ファイバ心線１６の他端のコアと、第２コネクタ１２の第２変換回路とが光学的に接続されている。これにより、第１コネクタ１１と第２コネクタ１２との間を、光信号で通信することが可能となる。例えば、第１コネクタ１１と接続された回路から出力された電気信号が第１変換回路で光信号に変換され、変換された光信号は光ファイバ心線１６を介して第２変換回路に出力される。第２変換回路は、第１変換回路で出力された光信号を電気信号に変換し、第２コネクタ１２と接続された回路へ電気信号を出力する。
【００２０】
第１コネクタ１１から光ファイバ心線１６が引き出された部位には屈曲を防ぐ第１ブッシング１３が設けられ、第２コネクタ１２から光ファイバ心線１６が引き出された部位には屈曲を防ぐ第２ブッシング１４が設けられている。
【００２１】
本実施形態の光電変換装置１０は、上述した光電変換装置１０ａにおいて光ファイバ心線１６の中央部位を除く部位、つまり光ファイバ心線１６の両端部を予め定めされた形状で保持させるための保持用部材を設けている。具体的には、光電変換装置１０では、図１Ａ，１Ｂに示すように、第１ブッシング１３と、第１コネクタ１１側の被覆部材１５の一端１５ａ（端部）との間の光ファイバ心線１６は、光ファイバ心線１６を第１形状で保持させる第１保持用部材２０で覆われている。また、第２ブッシング１４と、第２コネクタ１２側の被覆部材１５の他端１５ｂ（端部）との間の光ファイバ心線１６は、光ファイバ心線１６を第２形状で保持させる第２保持用部材２１で覆われている。
【００２２】
第１保持用部材２０および第２保持用部材２１は、被覆部材１５とは異なる部材で筒形状に形成、具体的には熱可塑性樹脂（例えばポリオレフィン、ポリ塩化ビニル、エラストマ等）で形成されている。なお、第１保持用部材２０および第２保持用部材２１は、被覆部材１５とは異なる材料で形成されることが好ましい。
【００２３】
光ファイバ心線１６の一端部１６ａは、光ファイバ心線１６の一端が第１コネクタ１１に挿入される前に第１保持用部材２０に挿入される。このとき、第１保持用部材２０の一端２０ａが被覆部材１５の一端１５ａを覆い、第１保持用部材２０の他端２０ｂが第１ブッシング１３の先端部を覆っている（図１Ｂ参照）。
【００２４】
また、同様に、光ファイバ心線１６の他端部１６ｂは、光ファイバ心線１６の他端が第２コネクタ１１に挿入される前に第２保持用部材２１に挿入される。このとき、第２保持用部材２１の一端２１ａが被覆部材１５の他端１５ｂを覆い、第２保持用部材２１の他端２１ｂが第２ブッシング１４の先端部を覆っている（図１Ｂ参照）。
【００２５】
光ファイバ心線１６の一端に第１コネクタ１１が、他端に第２コネクタ１２が、それぞれ設けられる。その後、第１保持用部材２０および第２保持用部材２１のそれぞれを加熱して熱収縮させ、光ファイバ心線１６、第１保持用部材２０および第２保持用部材２１を所定の形状、例えば、図１Ｂに示すように直線形状に変形させ、その後冷却する。これにより、第１保持用部材２０および第２保持用部材２１のそれぞれは、光ファイバ心線１６を所定の形状に保持させることができる。
【００２６】
また、第１保持用部材２０および第２保持用部材２１で保持される形状は、直線形状に限定されない。例えば、図３に示す曲線形状であってもよいし、直線形状と曲線形状との組み合わせであってもよい。
【００２７】
また、第１保持用部材２０への加熱は、光ファイバ心線１６の一端部１６ａが第１保持用部材２０に挿入される前に行われてもよい。同様に、第２保持用部材２１への加熱は、光ファイバ心線１６の他端部１６ｂが第２保持用部材２１に挿入される前に行われてもよい。
【００２８】
また、第１保持用部材２０および第２保持用部材２１の材質は、熱可塑性樹脂としたが、これに限定されない。第１保持用部材２０および第２保持用部材２１の材質は、熱硬化性樹脂であってもよい。熱硬化性樹脂は、例えばエポキシ樹脂、フェノール樹脂、メラミン樹脂等である。
【００２９】
また、第１コネクタ１１は、さらに光信号を電気信号に変換する第３変換回路を備え、第２コネクタ１２は、さらに電気信号を光信号に変換する第４変換回路を備えてもよい。この場合、光電変換装置１０は、２本の光ファイバ心線１６を備えている。この場合の光電変換装置１０では、一方の光ファイバ心線１６の一端が第１変換回路と、他端が第２変換回路とそれぞれ光学的に接続され、他方の光ファイバ心線１６の一端が第３変換回路と、他端が第４変換回路とそれぞれ光学的に接続されている。このとき、２本の光ファイバ心線１６のそれぞれの一端部１６ａが第１保持用部材２０で覆われ、他端部１６ｂが第２保持用部材２１で覆われている。つまり、複数の光ファイバ心線１６のそれぞれの一端部１６ａを第１保持用部材２０で覆い、他端部１６ｂを第２保持用部材２１で覆うことで、多チャンネル化にも対応することができる。
【００３０】
本実施形態では、光電変換装置１０は、第１ブッシング１３と第２ブッシング１４とを備えるとしたが、これに限定されない。光電変換装置１０は、第１ブッシング１３と第２ブッシング１４とを、必ずしも備える必要はない。この場合、第１保持用部材２０は、第１コネクタ１１と第１コネクタ１１側の被覆部材１５の一端１５ａとの間の光ファイバ心線１６を、予め定められた形状に保持させるために覆っている。第２保持用部材２１は、第２コネクタ１２と第２コネクタ１２側の被覆部材１５の他端１５ｂとの間の光ファイバ心線１６を、予め定められた形状に保持させるために覆っている。ここで、第１コネクタ１１と第１コネクタ１１側の被覆部材１５の端部との間の光ファイバ心線１６を、予め定められた形状で保持させるために覆うとは、一部部分を覆ってもよいし、全体を覆ってもよい。
【００３１】
以上説明したように、本実施形態の光電変換装置１０は、コネクタ（第１コネクタ１１、第２コネクタ１２）と、光ファイバ心線１６と、被覆部材１５と、保持用部材（第１保持用部材２０、第２保持用部材２１）とを備える。コネクタは、光電変換を行う変換回路を有する。光ファイバ心線１６は、一端がコネクタへ挿入されて変換回路と光学的に接続される。被覆部材１５は、光ファイバ心線１６の中央部位を覆う。保持用部材は、コネクタと被覆部材１５のコネクタ側の端部との間の光ファイバ心線１６を、予め定められた形状で保持させるために覆う。
【００３２】
この構成によると、光電変換装置１０は、光ファイバ心線１６の一端部を第１の形状に保持し、他端部を第２の形状に保持する。そのため、光電変換装置１０において、電気機器の内部設けられたコネクタ（レセプタクル）に第１コネクタ１１および第２コネクタ１２を接続した場合に光ファイバ心線１６が予期せぬ形状に曲がる可能性を低減することができる。したがって、光電変換装置１０は、その設置場所に関わらず光信号の損失を軽減することができる。
【００３３】
ここで、光電変換装置１０は、光ファイバ心線１６のうちコネクタから引き出された部位を覆うブッシング（第１ブッシング１３、第２ブッシング１４）を備えることが好ましい。保持用部材は、ブッシングと被覆部材１５のコネクタ側の端部との間の光ファイバ心線１６を、予め定められた形状で保持させるために覆う。この構成によると、光電変換装置１０は、その設置場所に関わらず光信号の損失を軽減することができる。
【００３４】
ここで、保持用部材は、熱可塑性樹脂または熱硬化性樹脂であることが好ましい。この構成によると、光電変換装置１０は、光ファイバ心線１６を予め定められた形状に保つことができる。
【００３５】
（実施形態２）
実施形態１では、第１保持用部材２０および第２保持用部材２１は単層としたが、本実施形態では、２層で形成されている。
【００３６】
以下、実施形態１との相違点を中心に説明する。なお、本実施形態では、実施形態１と同様の構成要素には同一の符号を付して説明を適宜省略する。
【００３７】
図４Ａは、本実施形態の光電変換装置１０の両端部を表す図であり、図４Ｂは、図４ＡにおけるＸ−Ｘの断面図である。なお、図４Ｂでは、第１コネクタ１１の記載を省略している。
【００３８】
本実施形態では、図４Ｂで示すように、第１保持用部材２０は、第１の層２０ａと第２の層２０ｂとの２層構造で形成され、第２保持用部材２１は、第１の層２１ａと第２の層２１ｂとの２層構造で形成されている。第２の層２０ｂ（２１ｂ）は、コア１６ｃとコア１６ｃの外周を包囲するクラッド１６ｄとから構成された光ファイバ心線１６の外周を包囲している。第１の層２０ａ（２１ａ）は、第２の層２０ｂ（２１ｂ）の外周を包囲している。つまり第２の層２０ｂ（２１ｂ）は、２層構造のうち内層に相当し、第１の層２０ａ（２１ａ）は、２層構造のうち外層に相当している。
【００３９】
第１の層２０ａ（２１ａ）および第２の層２０ｂ（２１ｂ）の材質は、実施形態１で述べたように、ポリオレフィン、ポリ塩化ビニル、エラストマ等の熱可塑性樹脂である。ただし、第１の層２０ａ（２１ａ）と第２の層２０ｂ（２１ｂ）とは、硬度が異なっており、第１の層２０ａ（２１ａ）は第２の層２０ｂ（２１ｂ）よりも硬い材質で形成されている。
【００４０】
なお、本実施形態では、第１保持用部材２０および第２保持用部材２１は２層で形成されているとしたが、これに限定されない。第１保持用部材２０および第２保持用部材２１は３層以上から形成されてもよい。この場合、第１保持用部材２０および第２保持用部材２１における３つ以上の層の硬度は、最も外側の層から内側に向かうにつれて順次低下する。
【００４１】
また、本実施形態においても第１保持用部材２０および第２保持用部材２１の材質は、熱硬化性樹脂であってもよい。この場合、第１の層２０ａ（２１ａ）は、第２の層２０ｂ（２１ｂ）よりも硬い材質で形成される。ここで、熱硬化性樹脂は、エポキシ樹脂、フェノール樹脂、メラミン樹脂等である。
【００４２】
なお、本実施形態では、第１の層２０ａ（２１ａ）および第２の層２０ｂ（２１ｂ）の双方とも熱可塑性樹脂、または熱硬化性樹脂であるとしたが、これに限定されない。例えば、内側の層である第１の層２０ａ（２１ａ）を熱可塑性樹脂、熱硬化性樹脂または接着剤で形成させて光ファイバ心線１６を所定の形状で保持させ、外側の層である第２の層２０ｂ（２１ｂ）を保護性が高く、かつ第１の層２０ａ（２１ａ）の硬度とは異なる硬度の材質で形成してもよい。
【００４３】
以上説明したように、保持用部材（第１保持用部材２０、第２保持用部材２１）は、互いに硬度が異なる少なくとも２つの層（第１の層２０ａ，２１ａ、第２の層２０ｂ，２１ｂ）からなることが好ましい。この構成によると、保持用部材を曲げる際に、光ファイバ心線１６が屈曲する可能性を低減することができる。
【００４４】
ここで、少なくとも２つの層の硬度は、最も外側の層から順次低下することが好ましい。この構成によると、単層の場合よりも光ファイバ心線１６に応力をかけることなく保持用部材を曲げること、つまり光ファイバ心線１６が屈曲する可能性を低減することができる。さらには、外部からの応力、部品等のエッジ等に対しても強くなる。
【００４５】
（実施形態３）
本実施形態では、実施形態１と比較して第１ブッシング１３および第２ブッシング１４の形状が異なる。さらに、第１保持用部材２０と光ファイバ心線１６との結合方法、および第２保持用部材２１と光ファイバ心線１６との結合方法が、実施形態１とは異なる。
【００４６】
以下、実施形態１との相違点を中心に説明する。なお、本実施形態では、実施形態１と同様の構成要素には同一の符号を付して説明を適宜省略する。
【００４７】
図５Ａ〜５Ｄは、本実施形態の光電変換装置１０の両端部を説明する図である。
【００４８】
本実施形態の第１ブッシング１３では、光ファイバ心線１６の径方向に対して凸部１３ａが設けられ、第２ブッシング１４では、光ファイバ心線１６の径方向に対して凸部１４ａが設けられている（図５Ａ参照）。第１ブッシング１３が第１保持用部材２０に挿入されると、第１保持用部材２０の先端が第１ブッシング１３の凸部１３ａに引っ掛かるので、第１ブッシング１３が第１保持用部材２０から抜け出ることを防ぐことができる（図５Ａ参照）。また、同様に、第２ブッシング１４が第２保持用部材２１に挿入されると、第２保持用部材２１の先端が第２ブッシング１４の凸部１４ａに引っ掛かるので、第２ブッシング１４が第２保持用部材２１から抜け出ることを防ぐことができる（図５Ａ参照）。
【００４９】
本実施形態の光電変換装置１０は、さらに、図５Ａに示すように、第１固定部品３０と第２固定部品４０とを備える。第１固定部品３０は、被覆部材１５の一端部と第１保持用部材２０とを固定する部品であり、第２固定部品４０は、被覆部材１５の他端部と第２保持用部材２１とを固定する部品である。
【００５０】
図５Ｂ〜５Ｄに示すように、第１固定部品３０は、かしめ台３１とかしめリング３４とを有し、第２固定部品４０は、かしめ台４１とかしめリング４４とを有している。また、第１固定部品３０は光ファイバ心線１６を挿通するための挿通孔３０ａを、第２固定部品４０は光ファイバ心線１６を挿通するための挿通孔４０ａを有している。
【００５１】
かしめ台３１は、図５Ｂに示すように、第１パイプ３２と第２パイプ３３とからの一体構造となっている。第１パイプ３２は第１保持用部材２０の一端２０ａに挿入され、第２パイプ３３は光ファイバ心線１６と被覆部材１５の一端１５ａとの間に挿入される（図５Ｃ参照）。
【００５２】
また、同様に、かしめ台４１は、図５Ｂに示すように、第１パイプ４２と第２パイプ４３とからの一体構造となっている。第１パイプ４２は第２保持用部材２１の一端２１ａに挿入され、第２パイプ４３は光ファイバ心線１６と被覆部材１５の他端１５ｂとの間に挿入される（図５Ｃ参照）。
【００５３】
かしめリング３４は、図５Ｄに示すように、スリット３７が設けられており、第１固定部３５と第２固定部３６とからの一体構造となっている。かしめリング３４がかしめ台３１に装着されることで、第１保持用部材２０は第１固定部３５と第１パイプ３２とで圧着されて固定され、被覆部材１５の一端部は第２固定部３６と第２パイプ３３とで圧着されて固定される。
【００５４】
同様に、かしめリング４４は、図５Ｄに示すように、スリット４７が設けられており、第１固定部４５と第２固定部４６とからの一体構造となっている。かしめリング４４がかしめ台４１に装着されることで、第２保持用部材２１は、第１固定部４５と第１パイプ４２とで圧着されて固定され、被覆部材１５の他端部は第２固定部３６と第２パイプ３３とで圧着されて固定される。
【００５５】
なお、本実施形態では、光電変換装置１０は、凸部を設けたブッシングと、固定部品との双方を備えるとしたが、凸部を設けたブッシングと固定部品とのうち少なくとも一方を備えていればよい。
【００５６】
また、本実施形態では、実施形態１で説明した第１保持用部材２０および第２保持用部材２１、つまり単層の保持用部材に適用した場合について説明したが、これに限定されない。本実施形態の光電変換装置１０は、実施形態２で説明した多層の第１保持用部材２０および第２保持用部材２１に適用してもよい。
【００５７】
また、被覆部材１５と光ファイバ心線１６との間に設けられた抗張力体１５ｃを第１固定部品３０および第２固定部品４０で圧着してもよい。この場合について図６Ａ〜６Ｃを用いて説明する。なお、抗張力体は、上述したようにアラミド繊維、鋼線などである。
【００５８】
第１固定部品３０の第２パイプ３３は、図６Ａに示すように、光ファイバ心線１６と抗張力体１５ｃとの間に挿入される。また、抗張力体１５ｃの一端１５ｄは、第１パイプ３２を覆っている。また、第２固定部品４０の第２パイプ４３は、図６Ａに示すように、光ファイバ心線１６と抗張力体１５ｃとの間に挿入される。また、抗張力体１５ｃの他端１５ｅは、第１パイプ４２を覆っている。
【００５９】
かしめリング３４が、かしめ台３１に装着されると、図６Ｂに示すように、被覆部材１５の一端１５ａが第２固定部３６と第２パイプ３３とで圧着されて固定され、抗張力体１５ｃの一端１５ｄが第１固定部３５と第１パイプ３２とで圧着されて固定される。
【００６０】
第１固定部品３０は、第１保持用部材２０の一端２０ａに挿入される（図６Ｃ参照）。第１保持用部材２０の一端２０ａは、熱収縮されることで第１固定部品３０に固定される。第１保持用部材２０の一端２０ａを第１固定部品３０に固定する場合には、接着剤で固定してもよい。または、別のかしめリングを設け、第１固定部品３０と固定してもよい。
【００６１】
かしめリング４４が、かしめ台４１に装着されると、図６Ｂに示すように、被覆部材１５の他端１５ｂが第２固定部４６と第２パイプ４３とで圧着されて固定され、抗張力体１５ｃの他端１５ｅが第１固定部４５と第１パイプ４２とで圧着されて固定される。
【００６２】
第２固定部品３０は、第２保持用部材２１の一端２１ａに挿入される。第２保持用部材２１の一端２１ａは、熱収縮されることで第２固定部品４０に固定される。第２保持用部材２１の一端２１ａを第２固定部品４０に固定する場合には、接着剤で固定してもよい。または、別のかしめリングを設け、第２固定部品４０と固定してもよい。
【００６３】
抗張力体１５ｃを圧着することで、光ファイバ心線１６の引張り強度は向上する。
【００６４】
また、抗張力体１５ｃを第１固定部品３０および第２固定部品４０で圧着する場合（図７Ａ参照）において、抗張力体を備えた第１保持用部材２０および第２保持用部材２１を用いてもよい。なお、抗張力体は、上述したようにアラミド繊維、鋼線などである。
【００６５】
例えば、図７Ｂに示すように、２本の抗張力体５０，５１を備えた第１保持用部材２０を第１コネクタ１３の先端１３ａと第１固定部品３０との間に設ける。また、２本の抗張力体６０，６１を備えた第２保持用部材２１を第２コネクタ１４の先端１４ａと第２固定部品４０との間に設ける。また、ブッシング１３，１４は、樹脂または金属の鋼体で形成される。第１保持用部材２０の一端２０ａは、第１固定部品３０とかしめリング７０とで圧着されて固定される。第１保持用部材２０の他端２０ｂは、ブッシング１３の先端１３ａとかしめリング７１とで圧着されて固定される。第２保持用部材２１の一端２１ａは、第２固定部品４０とかしめリング８０とで圧着されて固定される。第２保持用部材２１の他端２１ｂは、ブッシング１４の先端１４ａとかしめリング８１とで圧着されて固定される。第１保持用部材２０の一端２０ａおよび他端２０ｂを固定する場合には、接着剤で固定してもよい。また、第２保持用部材２１の一端２１ａおよび他端２１ｂを固定する場合には、接着剤で固定してもよい。
【００６６】
なお、第１保持用部材２０および第２保持用部材２１には、それぞれ円筒状の抗張力体を設けてもよい。
【００６７】
第１保持用部材２０および第２保持用部材２１に抗張力体を設けることで、引張り強度をさらに向上する。
【００６８】
以上説明したように、本実施形態のブッシング（第１ブッシング１３、第２ブッシング１４）において、被覆部材１５側の端部には、光ファイバ心線１６の径方向に対して凸部（凸部１３ａ，１４ａ）が設けられていることが好ましい。この構成によると、光電変換装置１０は、第１ブッシング１３が第１保持用部材２０から、第２ブッシング１４が第２保持用部材２１から、それぞれ抜け出る可能性を低減することができる。これにより、光ファイバ心線１６の引っ張りへの信頼性が向上する。
【００６９】
ここで、光電変換装置１０は、被覆部材１５の端部（一端１５ａ、他端１５ｂ）と保持用部材（第１保持用部材２０、第２保持用部材２１）とを固定する固定部品（第１固定部品３０、第２固定部品４０）を、さらに備えることが好ましい。この構成によると、光電変換装置１０は、第１固定部品３０を用いて第１保持用部材２０と被覆部材１５とを、第２固定部品４０を用いて第２保持用部材２１と被覆部材１５とを、固定する。そのため、光ファイバ心線１６の引っ張りへの信頼性が向上する。
【符号の説明】
【００７０】
１０    光電変換装置
１１    第１コネクタ（コネクタ）
１２    第２コネクタ（コネクタ）
１３    第１ブッシング（ブッシング）
１４    第２ブッシング（ブッシング）
１３ａ、１４ａ  凸部
１５    被覆部材
１６    光ファイバ心線
２０    第１保持用部材（保持用部材）
２１    第２保持用部材（保持用部材）
３０    第１固定部品（固定部品）
４０    第２固定部品（固定部品）
１５ａ  一端（端部）
１５ｂ  他端（端部）
【図１】
2017015765.tif 000003
【図２】
2017015765.tif 000004
【図３】
2017015765.tif 000005
【図４】
2017015765.tif 000006
【図５】
2017015765.tif 000007
【図６】
2017015765.tif 000008
【図７】
2017015765.tif 000009